(57)【要約】【課題】  ＷＥＢコンテンツを印刷する際に、ＵＲＬやコンテンツのキャッシュ、印刷データを保持し、再印刷時にそれらの情報を元に、再印刷を行うことで、印刷物の再現を可能とすること。【解決手段】  印刷装置において、一度印刷された印刷情報を保持する印刷情報記憶部を有し、印刷したＷＥＢページのＵＲＬおよびコンテンツを前記記憶部に記憶し、印刷履歴情報に関連付ける。印刷履歴情報を元に、プリンタに印刷要求を発行する際に、前記記憶部に保存してあるコンテンツもしくはＵＲＬから取得した最新コンテンツもしくは保存してある印刷データのいずれかを選択して印刷することを特徴とする。【選択図】  図１
2008269159.tif 000002
【特許請求の範囲】
【請求項１】
WEBコンテンツを表示・印刷可能な印刷装置であって、
印刷したURLを記憶するURL記憶手段と、
印刷したWEBコンテンツを保存するWEBコンテンツ保存手段と、
印刷した印刷データを保存する印刷データ保存手段とを有し、
印刷装置に対して、印字要求を発行する印刷手段を備えることを特徴とする印刷装置システム。
【請求項２】
前記URL記憶手段によって保存されたURLを参照して、最新のWEBページを取得して、印刷装置に印刷要求を発行する印刷手段を備えることを特徴とする請求項１記載の印刷装置。
【請求項３】
前記WEBコンテンツ保存手段によって保存されたWEBコンテンツをもとに、印刷装置に印刷要求を発行すること印刷手段を備えることを特徴とする請求項１記載の印刷装置。
【請求項４】
前記印刷データ保存手段によって保存された印刷データをもとに、印刷装置に印刷要求を発行すること印刷手段を備えることを特徴とする請求項１記載の印刷装置。
【請求項５】
印刷装置に印字要求を発行する際に、前記URL記憶手段およびWEBコンテンツ保存手段、印刷データ保存手段によって保存した印刷情報のなかから、印刷要求を行う情報を選択可能であることを特徴とする請求項１記載の印刷装置。
【請求項６】
WEBコンテンツの印刷を実行した印刷履歴情報に、前記URL記憶手段によって保存されたURL情報を関連付けることを特徴とする請求項１記載の印刷制御システム。
【発明の詳細な説明】
【技術分野】
【０００１】
本発明は、印刷装置および印刷制御システムに関するものである。
【背景技術】
【０００２】
近年、プリンタやデジタル複合機などの印刷装置は、オフィスネットワーク環境内や家庭内ＬＡＮ（ローカルエリアネットワーク)に接続するためのネットワークインタフェースを備え、ホストコンピュータやサーバコンピュータ等の種々情報処理装置と接続されて利用されることが多くなってきている。
【０００３】
従来のＬＡＮ（ローカルエリアネットワーク）を介して接続される印刷装置に対して求められるニーズとしては、ホストコンピュータから印刷データを出力する手段として、例えばLPR(RFC1179)に代表されるような単に印刷データの送受信を行なうためのプロトコルを解釈できればよかったが、昨今印刷装置に対しても情報機器管理のニーズが高くなり、ネットワークの付加技術として各種の手段が提供されている。
【０００４】
一方では、印刷装置本体に大型画面を備え、多くの情報を表示可能とする印刷装置が増えてきている。大型画面を用いては、デバイスの操作や設定を可能にするほか、近年では、WEBブラウザが組み込まれ、ネットワーク経由で取得したWEBコンテンツを表示し、印刷を行う機能が実装されている装置も存在する。
【０００５】
このようなWEBコンテンツを印刷する仕組みにおいては、特開2004-62573のように、印刷を行ったコンテンツのＵＲＬを記憶しておき、再印刷の際に再びコンテンツを取得して印刷をしているが、コンテンツ内容に変更が合った場合には、印刷結果が異なってしまっていた。また、特開2002-278719においては、一度印刷したコンテンツを保存しておき、再印刷実行時には、保存したコンテンツを使用しているが、Ｆｌａｓｈ（登録商標）等の動画情報については、必ずしも過去の印刷結果と同等の結果は得ることができない場合もあった。
【特許文献１】特開2004-62573号公報
【特許文献２】特開2002-278719号公報
【発明の開示】
【発明が解決しようとする課題】
【０００６】
上記のように、ＵＲＬやコンテンツを保存しておいても必ずしも同じ印刷結果を得ることはできなかった。つまりＵＲＬからコンテンツを再取得した場合にはコンテンツの書き換えが発生した場合は、結果がことなってしまい、また、コンテンツを保存しておいたとしても、日付情報が書き換わったり、Ｆｌａｓｈ（登録商標）などの動画のような場合には、スナップショット的に表示状態を保存しているわけではないので、結果が異なるという課題を抱えていた。
【課題を解決するための手段】
【０００７】
本発明は上記問題点に鑑みてなされたものであり、
ＷＥＢコンテンツを印刷する際に、ＵＲＬおよびＷＥＢコンテンツのほかに、印刷実行時の印刷データを保存しておき、再印刷の際に、ＵＲＬからコンテンツを再取得するか、保存したＷＥＢコンテンツを印刷するか、印刷データをもとに再印刷を実行するかを選択可能にするものであり、
WEBコンテンツを表示・印刷可能な印刷装置であって、
印刷したURLを記憶するURL記憶手段と、
印刷したWEBコンテンツを保存するWEBコンテンツ保存手段と、
印刷した印刷データを保存する印刷データ保存手段とを有し、
印刷装置に対して、印字要求を発行する印刷手段を備えることを特徴とする。
【０００８】
さらには、前記URL記憶手段によって保存されたURLを参照して、最新のWEBページを取得して、印刷装置に印刷要求を発行する印刷手段を備えることを特徴とする。
【０００９】
さらには、前記WEBコンテンツ保存手段によって保存されたWEBコンテンツをもとに、印刷装置に印刷要求を発行すること印刷手段を備えることを特徴とする。
【００１０】
さらには、前記印刷データ保存手段によって保存された印刷データをもとに、印刷装置に印刷要求を発行すること印刷手段を備えることを特徴とする。
【００１１】
さらには、
印刷装置に印字要求を発行する際に、前記URL記憶手段およびWEBコンテンツ保存手段、印刷データ保存手段によって保存した印刷情報のなかから、印刷要求を行う情報を選択可能であることを特徴とする。
【００１２】
さらには、
WEBコンテンツの印刷を実行した印刷履歴情報に、前記URL記憶手段によって保存されたURL情報を関連付けることを特徴とする。
【発明の効果】
【００１３】
以上詳述したように本発明によれば、印刷履歴情報に関連して、ＵＲＬやコンテンツおよび印刷データを保存することで、再印刷時に同じ結果を得ることができる。また、再印刷時に、再印刷する方法を選択することが可能であるため、最新の情報を印刷したい場合にも対応可能である。また、印刷時に保存する情報を選択可能にすることで、必要のない情報は保存しなくすることも可能である。
【発明を実施するための最良の形態】
【００１４】
次に本発明を実施するための好適な形態について図面を参照して説明する。
【００１５】
〔第一実施例〕
図１は、本発明の一実施形態を示すプリンタ制御システムの構成を説明するブロック図である。
【００１６】
ここでは、レーザービームプリンタを例にして説明する。
【００１７】
図において、１は一般的なインターネット環境を示し、１０００はHTMLで形成されたWEBコンテンツを示す。
【００１８】
プリンタ２０００において、２５００はプリンタコントローラでありプリンタ２０００に接続される各種制御デバイスが内蔵されている。
【００１９】
１２はプリンタＣＰＵ（ＣＰＵ）で、ＲＯＭ１３のプログラム用領域に記憶された制御プログラム或いは外部メモリ１４に記憶された制御プログラム等に基づいてシステムバス１５に接続される各種デバイスとのアクセスを統括的に制御し、ラスタコントローラ１６を介して接続されるプリントエンジン１７に出力情報としての画像信号を出力する。
【００２０】
ＲＯＭ１３のフォント用領域には上記プリントエンジン１７に出力する出力情報を生成する際に使用するフォントデータが記憶されており、さらにハードディスク等の外部メモリ１４が無いプリンタの場合にはホストコンピュータ上で利用される各種情報（設定情報やＷＥＢコンテンツ等）を記憶している。
【００２１】
ＬＡＮＣ１８は、ＬＡＮコントローラでありＬＡＮ２２に接続されており、前記WEBコンテンツ１０００との通信処理をＣＰＵ１２の制御により可能となっており、印刷データの受信処理やプリンタ内の各種情報を提供可能な様に構成されている。
【００２２】
１９は前記ＣＰＵ１２の主メモリ、ワークエリア等として機能するＲＡＭで、図示しない増設ポートに接続されるオプションＲＡＭによりメモリ容量を拡張することができるように構成されている。なお、ＲＡＭ１９は、出力情報展開領域としても用いられ、さらにＮＶＲＡＭ（不揮発性ランダムアクセスメモリ）等を備えてプリンタの各種印刷設定情報やネットワークアドレス設定情報等に用いられる。外部メモリ１４は、オプションとして接続され、フォントデータ、エミュレーションプログラム、フォームデータ等を記憶する。また、２１は操作パネルで操作のためのスイッチやプリンタの状態や設定情報を表示するためのＬＥＤおよびＬＣＤ表示器等が配される。
【００２３】
また、２３の印刷情報記憶部には、後述する図３に記載するような印刷結果の情報を保存する領域である。印刷情報記憶部２３には、印刷結果のジョブ名、URLに加え、WEBコンテンツの保存および印刷データの保存も行う。なお、本実施例では、すべてを印刷情報記憶部２３に保存しているが、前述の外部メモリに保存する形態をとってもかまわない。
【００２４】
また、本発明において上記ＬＡＮＣ１８に接続されるインタフェースはイーサネット（登録商標）に限らず、ＩＥＥＥ１３９４、無線ＬＡＮ等のネットワーク通信が可能な通信媒体であれば媒体を問わないことは言うまでもない。
【００２５】
さらにＬＡＮＣ１８がネットワークカードとして着脱可能なように構成され、各種通信媒体に対応するネットワークカードに交換して装着可能なように構成してもよい。
【００２６】
このように構成された印刷装置システムにおいて、図２以降に示すシーケンス図やフローチャートを用いて本発明の実施形態を詳述する。
【００２７】
図２は、本発明に係るプリンタ制御システムにおけるWEBコンテンツ印刷に係るシーケンス図である。Ｓ２０１において操作パネル上にＷＥＢコンテンツを表示する。ユーザが操作パネルに表示されたＷＥＢコンテンツを印刷したい場合は、印刷を指示し、Ｓ２０２においてＷＥＢコンテンツを印刷する。Ｓ２０２で印刷を実行した後、Ｓ２０３において、印刷履歴情報を保存し、処理を終了する。印刷履歴情報には、印刷ジョブ名や印刷部数・印刷結果などの履歴情報に加え、印刷したＷＥＢサイトのＵＲＬ情報、ＷＥＢコンテンツのキャッシュ、印刷を実行したときの印刷データを含む。
【００２８】
図３は、図２で示したシーケンスにおいて保存された印刷履歴情報の例を示したものである。表の３０１はジョブ毎に割り当てられる内部識別情報、３０２は印刷ジョブ名、３０３は印刷したＷＥＢサイトのＵＲＬ情報、３０４はＷＥＢコンテンツのキャッシュ情報、３０５は印刷した印刷データのファイル名を示すものである。図３の例では示していないが、印刷履歴情報にはその他に、印刷部数、印刷オーナー名、印刷結果などを含むこともある。
【００２９】
図４は、印刷履歴情報の一例である。ユーザは本体操作パネル上で図４に示すような印刷履歴画面（４０１）を見ることができる。４０２は印刷したドキュメント名、４０３は印刷を実行したオーナ名、４０４は印刷部数、４０５は印刷した日時、４０６は印刷結果を示した例である。４０２には、再印刷画面へのリンクが指定されており、ドキュメント名をクリックすることにより再印刷確認画面に遷移することが可能となる。
【００３０】
図５は再印刷確認画面の一例を示したものである。再印刷確認画面（５０１）では、保存してあるＵＲＬから最新情報を取得して印刷する（５０２）か、ＷＥＢコンテンツのキャッシュ情報から再印刷する（５０３）か、保存済みの印刷データから印刷する（５０４）かを選択可能になっており、プレビューボタン（５０５）を押下することで、印刷前のプレビューを表示可能であり、印刷実行ボタン（５０６）を押下することで印刷を実行することが可能である。
【００３１】
図６は、本発明に係るプリンタ制御システムにおけるWEBコンテンツの再印刷に係るシーケンス図である。Ｓ６０１において、図４に示すような印刷履歴のリンクをクリックすると、Ｓ６０２にて再印刷選択の画面が表示される（図５参照）。再印刷選択画面から再印刷の方法を選択後、プレビューボタンを押下した場合は、Ｓ６０４に進む。印刷ボタンを押下した場合には、Ｓ６０５に進む。Ｓ６０４では、プレビュー画面を表示（図示せず）する。Ｓ６０５おいて印刷ボタンが押下されたと判断された場合には、Ｓ６０６に進み印刷を実行して処理を終了する。印刷ボタンが押下されなかった場合には印刷を実行せずに処理を終了する。
【００３２】
〔その他の実施例〕
実施例１では、図２のシーケンス図で説明したように、WEBコンテンツを印刷後は、印刷したＷＥＢサイトのＵＲＬ情報、ＷＥＢコンテンツのキャッシュ、印刷を実行したときの印刷データを印刷履歴情報として保存しているが、印刷時もしくは印刷設定の中で、保存する情報を選択可能にする実施例も考えられる。例えば、常に最新WEBコンテンツを印刷したい場合は、URL情報だけが必要となるため、WEBコンテンツのキャッシュや印刷データは保存しないなどの例が考えられる。
【００３３】
また、実施例1では、図４で説明したように、ドキュメント名に再印刷確認画面へのリンク情報を埋め込んでいるが、他の実施例としては、印刷履歴の表示から１つの履歴もしくは複数の履歴のチェックボックスにチェックをいれ、印刷ボタンを押下することで再印刷を実行することも可能である。この実施例では、同時に複数の再印刷を実行することを可能とする。
【図面の簡単な説明】
【００３４】
【図１】本発明の実施形態に係るプリンタ制御システムの構成を示すブロック図である。
【図２】本発明の実施形態に係るWEBコンテンツ印刷の処理を示すシーケンス図
【図３】本発明に係る保存する印刷履歴情報の一例。
【図４】本発明に係る印刷履歴画面を示すＷＥＢコンテンツの図。
【図５】本発明に係る再印刷確認画面を示すＷＥＢコンテンツの図。
【図６】本発明に係るプリンタ制御システムにおけるWEBコンテンツの再印刷に係るシーケンス図。
【符号の説明】
【００３５】
１０００  WEBコンテンツ
２０００  プリンタ
１  インターネット
２２  ＬＡＮ
１２  ＣＰＵ
１３  ＲＯＭ
１４  外部メモリ
１５  システムバス
１６  ラスタコントローラ
１７  プリントエンジン
１８  ＬＡＮコントローラ
１９  ＲＡＭ
２０  ディスクコントローラ
２１  操作パネル
２３  印刷情報記憶部
【図１】
2008269159.tif 000003
【図２】
2008269159.tif 000004
【図３】
2008269159.tif 000005
【図４】
2008269159.tif 000006
【図５】
2008269159.tif 000007
【図６】
2008269159.tif 000008